(57)【特許請求の範囲】
【請求項１】
電動機能を有する総数Ｎ台からなる複数の部材に対して、その電動機能を動作させたときに生ずる動作音の良否を判定する部材の検査方法であって、
総数Ｎ台からなる複数の部材の中から検査対象となるｎ台の部材を選定し、選定したｎ台の部材に対して、その動作音を複数の周波数帯ごとに測定すると共に、その動作音の良否を官能的に判定し、
測定した周波数帯ごとに、官能的に良品と判定された部材の動作音の測定値のうち、その数値が最大である最大測定値と、官能的に不良品と判定された部材の動作音の測定値のうち、その数値が最小である最小測定値とを比較し、
比較の結果、測定した各周波数帯の中から官能的に良品と判定された部材の最大測定値より官能的に不良品と判定された部材の最小測定値の方が大きい場合の周波数帯を抽出し、
抽出した周波数帯ごとに、官能的に良品と判定された部材の最大測定値と官能的に不良品と判定された部材の最小測定値との中間値に閾値を設定し、
総数Ｎ台からなる複数の部材の中から検査対象となるｎ台の部材を差し引いた残りのＮ−ｎ台の部材に対して、その動作音を閾値が設定された周波数帯のみ測定し、
その測定値より閾値の方が大きい場合には、測定した部材は良品であると判定し、その測定値より閾値の方が小さい場合には、測定した部材は不良品であると判定することを特徴とする部材の検査方法。
【発明の詳細な説明】
【技術分野】
【０００１】
本発明は、部材の検査方法に関し、詳しくは、部材の電動機能を動作させたときに生ずる動作音の良否を判定する部材の検査方法に関する。
【背景技術】
【０００２】
この種の検査方法として、機械的に行う方法と官能的に行う方法の２通りが知られている。例えば、部材が車両用シートである場合を説明すると、前者は、車両用シートの電動機能を動作させたときの動作音を測定し、その測定値と予め設定した閾値とを比較することによって車両用シートの良否を判定する方法である。一方、後者は、車両用シートの電動機能を動作させ、その動作音を検査員が判断することによって車両用シートの良否を判定する方法である。そして、これらいずれかの方法によって検査され、その検査に合格した車両用シートのみが製品として出荷されている。
【０００３】
なお、この出願の発明に関連する先行技術文献情報としては、例えば、特許文献１が知られている。
【特許文献１】特開２００６−３３４５号公報
【発明の開示】
【発明が解決しようとする課題】
【０００４】
しかしながら、上述した検査方法では、機械的に検査を行って合格した場合であっても、官能的に検査を行うと不合格となる場合があり、また、その逆の場合もあり、機械的な検査方法では信頼性が損なわれる格好となっていた。そのため、機械的に検査を行った場合でも官能的に検査が必要となっており、結果として、多くの手間と時間を要する検査方法となっていた。
【０００５】
本発明は、このような課題を解決しようとするもので、その目的は、電動機能を有する複数の部材に対して、その電動機能を動作させたときに生ずる動作音の良否を効率よく判定することができる検査方法を提供することである。
【課題を解決するための手段】
【０００６】
本発明は、上記の目的を達成するためのものであって、以下のように構成されている。請求項１に記載の発明は、電動機能を有する総数Ｎ台からなる複数の部材に対して、その電動機能を動作させたときに生ずる動作音の良否を判定する部材の検査方法であって、総数Ｎ台からなる複数の部材の中から検査対象となるｎ台の部材を選定し、選定したｎ台の部材に対して、その動作音を複数の周波数帯ごとに測定すると共に、その動作音の良否を官能的に判定し、測定した周波数帯ごとに、官能的に良品と判定された部材の動作音の測定値のうち、その数値が最大である最大測定値と、官能的に不良品と判定された部材の動作音の測定値のうち、その数値が最小である最小測定値とを比較し、比較の結果、測定した各周波数帯の中から官能的に良品と判定された部材の最大測定値より官能的に不良品と判定された部材の最小測定値の方が大きい場合の周波数帯を抽出し、抽出した周波数帯ごとに、官能的に良品と判定された部材の最大測定値と官能的に不良品と判定された部材の最小測定値との中間値に閾値を設定し、総数Ｎ台からなる複数の部材の中から検査対象となるｎ台の部材を差し引いた残りのＮ−ｎ台の部材に対して、その動作音を閾値が設定された周波数帯のみ測定し、その測定値より閾値の方が大きい場合には、測定した部材は良品であると判定し、その測定値より閾値の方が小さい場合には、測定した部材は不良品であると判定することを特徴とする。
この方法によれば、例えば、総数１００台の部材の動作音の良否を判定する場合であっても、このうち１０台の部材に対して、その動作音を複数の周波数帯ごとに測定し、且つ、その動作音の良否を官能的に判定すれば、この測定と判定の結果に基づいて、残りの９０台の部材に対しては、その動作音を数少ない周波数帯のみで測定し、その測定値の結果に基づいて、その動作音の良否を判定することができる。そのため、従来技術と比較すると、多くの手間と時間を要することなく、効率よく判定することができる。
【発明を実施するための最良の形態】
【０００７】
以下、本発明を実施するための最良の形態を、図１〜３を用いて説明する。図１は、本発明の部材の検査方法に係るシステム構成図である。図２は、検査対象となる１０台の部材に対して、その動作音を複数の周波数帯ごとに測定した数値と、その動作音の良否を官能的に判定した結果を示す図である。図３は、図２の結果をグラフで表示した図である。
【０００８】
まず、図１を参照して、部材の検査方法に係るシステム構成図を説明する。なお、この実施例では、部材が車両用シート１０である場合を説明する。このシステムは、センサ２０と、検査機器３０と、管理装置４０とから主として構成されており、センサ２０と検査機器３０および検査機器３０と管理装置４０とは、それぞれ電気的に接続されている。
【０００９】
はじめに、これら各構成部材２０、３０、４０を個別に説明する。センサ２０は、図１に示すように、車両用シート１０のフレーム部に取り付け可能となっており、この取り付け状態で車両用シート１０の電動機能（図示しない）を動作させ、その動作音を測定する装置である。車両用シート１０の電動機能とは、例えば、シートクッションに対してシートバックを傾動させるリクライニング機能、または、車体フレームに対してシートクッションを前後移動させるシートスライド機能等である。なお、上述したように、車両用シート１０は、そのフレームにセンサ２０が取り付けられるため、図１において、あえて、車両用シート１０をフレーム状態で記載している。
【００１０】
検査機器３０は、センサ２０が測定した動作音を取り込んで、この取り込んだ動作音を管理装置４０へ送信する装置である。なお、この検査機器３０は、例えば、１００台の車両用シートの動作音を取り込み可能であり、この取り込んだ１００台の動作音を一括して管理装置４０へ送信可能となっている。
【００１１】
管理装置４０は、検査機器３０が取り込んだ動作音を個別の車両用シート１０に対応付けて記憶すると共に、記憶した動作音の良否を判定する装置である。この管理装置４０は、記憶部および演算部を有する本体４１と、表示分を有するモニタ４２と、入力部を有するキーボード４３とから構成されている汎用のコンピュータである。
【００１２】
次に、車両用シートの検査方法を説明する。この検査方法として、電動機能を有する総数１００台の車両用シートに対して、その電動機能を動作させたときに生ずる動作音の良否を判定する例を説明する。まず、１００台の車両用シートの中から検査対象となる１０台の車両用シート１０を任意に選定する。そして、図１に示すように、選定した１０台の車両用シート１０に対して、その動作音を複数の周波数帯ごとに測定する。この複数の周波数帯とは、図２に示すように、「１００、１２５、１６０、２００、２５０、３１５、４００、５００、６３０、８００、１０００、１２５０、１６００、２０００、２５００、３１５０、４０００、５０００、６３００、８０００、１００００（Ｈｚ）」であり、公知の１／３オクターブ分析によって測定を行っている。なお、選定した１０台の車両用シート１０を個別に識別可能となるように「Ａ、Ｂ、Ｃ、・・・Ｊ」と符号を付すこととする。
【００１３】
また、これと同様に、選定した１０台の車両用シート１０に対して、その動作音の良否を官能的に判定する。この官能的な判定とは、検査者が自身の聴覚、触覚、視覚等によって、その良否を判定するものである。そして、図２に示すように、これらの測定値と合否の結果を１０台の車両用シート１０ごとに取りまとめる。
【００１４】
この図２では、車両用シート１０（Ａ）の電動機能の動作音の測定値は、１００（Ｈｚ）において、７４．１（ｄＢ）であることを示している。ここで、車両用シート１０（Ａ）とは、選定した１０台の車両用シート１０のうち、符号（Ａ）を付した車両用シート１０のことである。このことは、残りの符号（Ｂ）〜（Ｊ）を付した車両用シート１０についても同様である。これと同様に、１２５（Ｈｚ）において、８４．２（ｄＢ）であることを示している。また、これと同様に、１６０（Ｈｚ）において、８６．３（ｄＢ）であることを示している。また、これと同様に、２００（Ｈｚ）において、８３（ｄＢ）であることを示している。また、これと同様に、２５０（Ｈｚ）において、９１．９（ｄＢ）であることを示している。
【００１５】
また、これと同様に、３１５（Ｈｚ）において、９３．９（ｄＢ）であることを示している。また、これと同様に、４００（Ｈｚ）において、８４．１（ｄＢ）であることを示している。また、これと同様に、５００（Ｈｚ）において、８９．５（ｄＢ）であることを示している。また、これと同様に、６３０（Ｈｚ）において、９０．３（ｄＢ）であることを示している。また、これと同様に、８００（Ｈｚ）において、８８．２（ｄＢ）であることを示している。
【００１６】
また、これと同様に、１０００（Ｈｚ）において、９８．１（ｄＢ）であることを示している。また、これと同様に、１２５０（Ｈｚ）において、９０（ｄＢ）であることを示している。また、これと同様に、１６００（Ｈｚ）において、９５．１（ｄＢ）であることを示している。また、これと同様に、２０００（Ｈｚ）において、８８（ｄＢ）であることを示している。また、これと同様に、２５００（Ｈｚ）において、９３．１（ｄＢ）であることを示している。
【００１７】
また、これと同様に、３１５０（Ｈｚ）において、９６．２（ｄＢ）であることを示している。また、これと同様に、４０００（Ｈｚ）において、９５．２（ｄＢ）であることを示している。また、これと同様に、５０００（Ｈｚ）において、１００（ｄＢ）であることを示している。また、これと同様に、６３００（Ｈｚ）において、９６（ｄＢ）であることを示している。また、これと同様に、８０００（Ｈｚ）において、９８（ｄＢ）であることを示している。また、これと同様に、１００００（Ｈｚ）において、９５（ｄＢ）であることを示している。
【００１８】
また、この図２では、車両用シート１０（Ａ）の電動機能の動作音の官能的な判定は、良であることを示している。なお、図２において、車両用シート１０（Ｂ）〜車両用シート１０（Ｊ）の欄においても、上述した車両用シート１０（Ａ）の欄と同様に記載されている。
【００１９】
次に、測定した各周波数帯ごとに、良品と判定された車両用シート１０の動作音の測定値のうち、その数値が最大である最大測定値と、不良品と判定された車両用シート１０の動作音の測定値のうち、その数値が最小である最小測定値とを比較する。そして、比較の結果、測定した各周波数帯の中から良品と判定された車両用シート１０の最大測定値より不良品と判定された車両用シート１０の最小測定値の方が大きい場合の周波数帯を抽出する。
【００２０】
例えば、１００（Ｈｚ）の場合、良品と判定された車両用シート１０の動作音の測定値のうち、その数値が最大である最大測定値は、７７．８（ｄＢ）である。一方、不良品と判定された車両用シート１０の動作音の測定値のうち、その数値が最小である最小測定値は、７２（ｄＢ）である。そのため、この１００（Ｈｚ）の場合、良品と判定された車両用シート１０の最大測定値より不良品と判定された車両用シート１０の最小測定値の方が大きい場合には該当しないため、この周波数帯は抽出されない。
【００２１】
これと同様に、例えば、１２５（Ｈｚ）の場合、良品と判定された車両用シート１０の動作音の測定値のうち、その数値が最大である最大測定値は、８６．２（ｄＢ）である。一方、不良品と判定された車両用シート１０の動作音の測定値のうち、その数値が最小である最小測定値は、７８（ｄＢ）である。そのため、この１２５（Ｈｚ）の場合、良品と判定された車両用シート１０の最大測定値より不良品と判定された車両用シート１０の最小測定値の方が大きい場合には該当しないため、この周波数帯は抽出されない。
【００２２】
また、これと同様に、例えば、１６０（Ｈｚ）の場合、良品と判定された車両用シート１０の動作音の測定値のうち、その数値が最大である最大測定値は、８６．３（ｄＢ）である。一方、不良品と判定された車両用シート１０の動作音の測定値のうち、その数値が最小である最小測定値は、８３．５（ｄＢ）である。そのため、この１６０（Ｈｚ）の場合、良品と判定された車両用シート１０の最大測定値より不良品と判定された車両用シート１０の最小測定値の方が大きい場合には該当しないため、この周波数帯は抽出されない。
【００２３】
また、これと同様に、例えば、２００（Ｈｚ）の場合、良品と判定された車両用シート１０の動作音の測定値のうち、その数値が最大である最大測定値は、８７．６（ｄＢ）である。一方、不良品と判定された車両用シート１０の動作音の測定値のうち、その数値が最小である最小測定値は、９２（ｄＢ）である。そのため、この２００（Ｈｚ）の場合、良品と判定された車両用シート１０の最大測定値より不良品と判定された車両用シート１０の最小測定値の方が大きい場合には該当するため、この周波数帯は抽出される。
【００２４】
また、これと同様に、例えば、２５０（Ｈｚ）の場合、良品と判定された車両用シート１０の動作音の測定値のうち、その数値が最大である最大測定値は、１０１．７（ｄＢ）である。一方、不良品と判定された車両用シート１０の動作音の測定値のうち、その数値が最小である最小測定値は、９８．２（ｄＢ）である。そのため、この２５０（Ｈｚ）の場合、良品と判定された車両用シート１０の最大測定値より不良品と判定された車両用シート１０の最小測定値の方が大きい場合には該当しないため、この周波数帯は抽出されない。
【００２５】
また、これと同様に、例えば、３１５（Ｈｚ）の場合、良品と判定された車両用シート１０の動作音の測定値のうち、その数値が最大である最大測定値は、９６．１（ｄＢ）である。一方、不良品と判定された車両用シート１０の動作音の測定値のうち、その数値が最小である最小測定値は、９５（ｄＢ）である。そのため、この３１５（Ｈｚ）の場合、良品と判定された車両用シート１０の最大測定値より不良品と判定された車両用シート１０の最小測定値の方が大きい場合には該当しないため、この周波数帯は抽出されない。
【００２６】
また、これと同様に、例えば、４００（Ｈｚ）の場合、良品と判定された車両用シート１０の動作音の測定値のうち、その数値が最大である最大測定値は、９１．２（ｄＢ）である。一方、不良品と判定された車両用シート１０の動作音の測定値のうち、その数値が最小である最小測定値は、９６．２（ｄＢ）である。そのため、この４００（Ｈｚ）の場合、良品と判定された車両用シート１０の最大測定値より不良品と判定された車両用シート１０の最小測定値の方が大きい場合には該当するため、この周波数帯は抽出される。
【００２７】
また、これと同様に、例えば、５００（Ｈｚ）の場合、良品と判定された車両用シート１０の動作音の測定値のうち、その数値が最大である最大測定値は、９５．５（ｄＢ）である。一方、不良品と判定された車両用シート１０の動作音の測定値のうち、その数値が最小である最小測定値は、９８（ｄＢ）である。そのため、この５００（Ｈｚ）の場合、良品と判定された車両用シート１０の最大測定値より不良品と判定された車両用シート１０の最小測定値の方が大きい場合には該当するため、この周波数帯は抽出される。
【００２８】
また、これと同様に、例えば、６３０（Ｈｚ）の場合、良品と判定された車両用シート１０の動作音の測定値のうち、その数値が最大である最大測定値は、１０１．９（ｄＢ）である。一方、不良品と判定された車両用シート１０の動作音の測定値のうち、その数値が最小である最小測定値は、１０６（ｄＢ）である。そのため、この６３０（Ｈｚ）の場合、良品と判定された車両用シート１０の最大測定値より不良品と判定された車両用シート１０の最小測定値の方が大きい場合には該当するため、この周波数帯は抽出される。
【００２９】
また、これと同様に、例えば、８００（Ｈｚ）の場合、良品と判定された車両用シート１０の動作音の測定値のうち、その数値が最大である最大測定値は、１０１．９（ｄＢ）である。一方、不良品と判定された車両用シート１０の動作音の測定値のうち、その数値が最小である最小測定値は、１０３（ｄＢ）である。そのため、この８００（Ｈｚ）の場合、良品と判定された車両用シート１０の最大測定値より不良品と判定された車両用シート１０の最小測定値の方が大きい場合には該当しないため、この周波数帯は抽出されない。
【００３０】
また、これと同様に、例えば、１０００（Ｈｚ）の場合、良品と判定された車両用シート１０の動作音の測定値のうち、その数値が最大である最大測定値は、１００．３（ｄＢ）である。一方、不良品と判定された車両用シート１０の動作音の測定値のうち、その数値が最小である最小測定値は、９５．２（ｄＢ）である。そのため、この１０００（Ｈｚ）の場合、良品と判定された車両用シート１０の最大測定値より不良品と判定された車両用シート１０の最小測定値の方が大きい場合には該当しないため、この周波数帯は抽出されない。
【００３１】
また、これと同様に、例えば、１２５０（Ｈｚ）の場合、良品と判定された車両用シート１０の動作音の測定値のうち、その数値が最大である最大測定値は、９８．６（ｄＢ）である。一方、不良品と判定された車両用シート１０の動作音の測定値のうち、その数値が最小である最小測定値は、８８（ｄＢ）である。そのため、この１２５０（Ｈｚ）の場合、良品と判定された車両用シート１０の最大測定値より不良品と判定された車両用シート１０の最小測定値の方が大きい場合には該当しないため、この周波数帯は抽出されない。
【００３２】
また、これと同様に、例えば、１６００（Ｈｚ）の場合、良品と判定された車両用シート１０の動作音の測定値のうち、その数値が最大である最大測定値は、９８．３（ｄＢ）である。一方、不良品と判定された車両用シート１０の動作音の測定値のうち、その数値が最小である最小測定値は、８８（ｄＢ）である。そのため、この１６００（Ｈｚ）の場合、良品と判定された車両用シート１０の最大測定値より不良品と判定された車両用シート１０の最小測定値の方が大きい場合には該当しないため、この周波数帯は抽出されない。
【００３３】
また、これと同様に、例えば、２０００（Ｈｚ）の場合、良品と判定された車両用シート１０の動作音の測定値のうち、その数値が最大である最大測定値は、１０２．９（ｄＢ）である。一方、不良品と判定された車両用シート１０の動作音の測定値のうち、その数値が最小である最小測定値は、８８．１（ｄＢ）である。そのため、この２０００（Ｈｚ）の場合、良品と判定された車両用シート１０の最大測定値より不良品と判定された車両用シート１０の最小測定値の方が大きい場合には該当しないため、この周波数帯は抽出されない。
【００３４】
また、これと同様に、例えば、２５００（Ｈｚ）の場合、良品と判定された車両用シート１０の動作音の測定値のうち、その数値が最大である最大測定値は、１０４．４（ｄＢ）である。一方、不良品と判定された車両用シート１０の動作音の測定値のうち、その数値が最小である最小測定値は、９４．８（ｄＢ）である。そのため、この２５００（Ｈｚ）の場合、良品と判定された車両用シート１０の最大測定値より不良品と判定された車両用シート１０の最小測定値の方が大きい場合には該当しないため、この周波数帯は抽出されない。
【００３５】
また、これと同様に、例えば、３１５０（Ｈｚ）の場合、良品と判定された車両用シート１０の動作音の測定値のうち、その数値が最大である最大測定値は、１０２（ｄＢ）である。一方、不良品と判定された車両用シート１０の動作音の測定値のうち、その数値が最小である最小測定値は、１００．１（ｄＢ）である。そのため、この３１５０（Ｈｚ）の場合、良品と判定された車両用シート１０の最大測定値より不良品と判定された車両用シート１０の最小測定値の方が大きい場合には該当しないため、この周波数帯は抽出されない。
【００３６】
また、これと同様に、例えば、４０００（Ｈｚ）の場合、良品と判定された車両用シート１０の動作音の測定値のうち、その数値が最大である最大測定値は、１００．２（ｄＢ）である。一方、不良品と判定された車両用シート１０の動作音の測定値のうち、その数値が最小である最小測定値は、１０３．５（ｄＢ）である。そのため、この４０００（Ｈｚ）の場合、良品と判定された車両用シート１０の最大測定値より不良品と判定された車両用シート１０の最小測定値の方が大きい場合には該当するため、この周波数帯は抽出される。
【００３７】
また、これと同様に、例えば、５０００（Ｈｚ）の場合、良品と判定された車両用シート１０の動作音の測定値のうち、その数値が最大である最大測定値は、１０１（ｄＢ）である。一方、不良品と判定された車両用シート１０の動作音の測定値のうち、その数値が最小である最小測定値は、１０３．１（ｄＢ）である。そのため、この５０００（Ｈｚ）の場合、良品と判定された車両用シート１０の最大測定値より不良品と判定された車両用シート１０の最小測定値の方が大きい場合には該当するため、この周波数帯は抽出される。
【００３８】
また、これと同様に、例えば、６３００（Ｈｚ）の場合、良品と判定された車両用シート１０の動作音の測定値のうち、その数値が最大である最大測定値は、９８．８（ｄＢ）である。一方、不良品と判定された車両用シート１０の動作音の測定値のうち、その数値が最小である最小測定値は、９７．３（ｄＢ）である。そのため、この６３００（Ｈｚ）の場合、良品と判定された車両用シート１０の最大測定値より不良品と判定された車両用シート１０の最小測定値の方が大きい場合には該当しないため、この周波数帯は抽出されない。
【００３９】
また、これと同様に、例えば、８０００（Ｈｚ）の場合、良品と判定された車両用シート１０の動作音の測定値のうち、その数値が最大である最大測定値は、１０６．７（ｄＢ）である。一方、不良品と判定された車両用シート１０の動作音の測定値のうち、その数値が最小である最小測定値は、９３．２（ｄＢ）である。そのため、この８０００（Ｈｚ）の場合、良品と判定された車両用シート１０の最大測定値より不良品と判定された車両用シート１０の最小測定値の方が大きい場合には該当しないため、この周波数帯は抽出されない。
【００４０】
また、これと同様に、例えば、１００００（Ｈｚ）の場合、良品と判定された車両用シート１０の動作音の測定値のうち、その数値が最大である最大測定値は、１０２．６（ｄＢ）である。一方、不良品と判定された車両用シート１０の動作音の測定値のうち、その数値が最小である最小測定値は、８８．６（ｄＢ）である。そのため、この１００００（Ｈｚ）の場合、良品と判定された車両用シート１０の最大測定値より不良品と判定された車両用シート１０の最小測定値の方が大きい場合には該当しないため、この周波数帯は抽出されない。このようにして、２００、４００、５００、６３０、４０００、５０００（Ｈｚ）が抽出される。
【００４１】
続いて、図３に示すように、抽出した周波数帯ごとに、良品と判定された車両用シートの最大測定値と不良品と判定された車両用シートの最小測定値との間に閾値を設定する。例えば、２００（Ｈｚ）の場合の閾値の設定例として、良品と判定された車両用シートの最大測定値である８７．６（ｄＢ）と不良品と判定された車両用シートの最小測定値である９２（ｄＢ）の中間値である８９．８（ｄＢ）を閾値として設定する。これと同様に、例えば、４００（Ｈｚ）の場合、９３．７（ｄＢ）を閾値として設定する。また、これと同様に、例えば、５００（Ｈｚ）の場合、９６．７５（ｄＢ）を閾値として設定する。また、これと同様に、例えば、６３０（Ｈｚ）の場合、１０３．９５（ｄＢ）を閾値として設定する。また、これと同様に、例えば、４０００（Ｈｚ）の場合、１０１．８５（ｄＢ）を閾値として設定する。また、これと同様に、例えば、５０００（Ｈｚ）の場合、１０２．０５を閾値として設定する。
【００４２】
なお、この図３では、測定した各周波数帯の良品と不良品ごとに、測定値の最大値と最小値を線で結んで示すと共に測定値の平均値を棒グラフで示している。そのため、この図３を見れば、良品と不良品のデータの偏りを知ることができる。
【００４３】
最後に、総数１００台からなる複数の車両用シート１０の中から検査対象となる１０台の車両用シート１０を差し引いた残りの９０台の車両用シート１０に対して、その動作音を閾値が設定された周波数帯のみ測定する。すなわち、残りの９０台の車両用シート１０に対して、２００、４００、５００、６３０、４０００、５０００（Ｈｚ）のみの動作音を測定する。
【００４４】
そして、その測定値より閾値の方が大きい場合には、測定した車両用シート１０は良品であると判定する。一方、その測定値より閾値の方が小さい場合には、測定した車両用シート１０は不良品と判定する。なお、上述した動作音の測定値の比較や周波数帯の抽出は、予め、管理装置４０の本体４１の記憶部に記憶されたソフトウェアによって実行されている。また、上述した図２および図３は、管理装置４０のモニタ４２によって目視可能となっている。また、上述した閾値は、管理装置４０のキーボード４３によって設定可能となっている。
【００４５】
本発明の実施例に係る車両用シートの検査方法は、上述したように構成されている。この方法によれば、例えば、総数１００台の車両用シート１０の動作音の良否を判定する場合であっても、このうち１０台の車両用シート１０に対して、その動作音を複数の周波数帯ごとに測定し、且つ、その動作音の良否を官能的に判定すれば、この測定と判定の結果に基づいて、残りの９０台の車両用シート１０に対しては、その動作音を数少ない周波数帯（この実施例では、２００、４００、５００、６３０、４０００、５０００（Ｈｚ）の６個の周波数帯）のみで測定し、その測定値の結果に基づいて、その動作音の良否を判定することができる。そのため、従来技術と比較すると、多くの手間と時間を要することなく、効率よく判定することができる。
【００４６】
すなわち、この方法によれば、例えば、１００（Ｈｚ）の場合のように、良品と判定された車両用シート１０の最大測定値より不良品と判定された車両用シート１０の最小測定値の方が大きく、閾値を設定することができない場合であっても、他の周波数帯で閾値を設定することができるため、車両用シート１０の動作音の良否の判定を確実に行うことができる。
【００４７】
上述した内容は、あくまでも本発明の一実施の形態に関するものであって、本発明が上記内容に限定されることを意味するものではない。
実施例では、１／３オクターブ分析によって測定を行った場合を説明した。しかし、これに限定されるものでなく、他の公知の分析によって測定を行っても構わない。
また、実施例では、部材が車両用シートである場合を説明した。しかし、これに限定されるものでなく、電動機能を有する部材であれば、どんな部材であっても構わない。
【図面の簡単な説明】
【００４８】
【図１】図１は、本発明の車両用シートの検査方法に係るシステム構成図である。
【図２】図２は、検査対象となる１０台の車両用シートに対して、その動作音を複数の周波数帯ごとに測定した数値と、その動作音の良否を官能的に判定した結果を示す図である。
【図３】図３は、図２の結果をグラフで表示した図である。
【符号の説明】
【００４９】
１０    車両用シート
【図１】
0005018415.tif 000002
【図２】
0005018415.tif 000003
【図３】
0005018415.tif 000004